(57)【要約】【課題】本考案は、効果的に作業時間コストを削減し生産エネルギーを向上させる棒状プラスチックの粒カット装置の提供。【解決手段】一種の棒状プラスチックの粒カット装置は、押出機の末端に原料出口盤を設け、該原料出口盤に複数の原料出口孔を設け、回転カッター台を原料出口盤の中央に設置し、該回転カッター台端の原料出口孔に向き合う箇所にカッターを設け、また該回転カッター台には冷却通路を内設し、各カッター上には空気吹き出し孔を組み合わせ設ける。これにより、プラスチック材が押し出されると、空気吹き出し孔から吹き付ける風により冷却され、並びに回転するカッターでカットされる故、作業を便利にし、別に冷却する必要がなく粒カットを行うことができ、作業時間コストを節約し生産エネルギーを高める実用目的を達成する。【選択図】図１
0003142638.tif 000002
【実用新案登録請求の範囲】
【請求項１】
一種の棒状プラスチックの粒カット装置において、それは、押出機、原料出口盤、回転カッター台により構成され、
該押出機は、その末端に原料出口盤を設け、該原料出口盤上には一周または複数周する原料出口孔を設け、
該回転カッター台は、原料出口盤の中央に設置し、単一または二組以上を円周に等間隔を空けて分布配置し、その中間には円軸台を備え、該回転カッター台の前端には円軸台端を連結し後端の原料出口孔と向き合う箇所にはカッターを設け、また該回転カッター台には冷却する空気吹き出し通路を内設し、各カッター上には空気吹き出し孔を配置し、
これによりプラスチックは、押し出される時、空気吹き出し孔の吹き付ける風によって冷却固形し、並びに回転するカッターの切断により、便利に作業することができ、別に冷却を行わずに粒カットを行える故、作業時間コストを節約し、且つ生産エネルギーを高めることを特徴とする棒状プラスチックの粒カット装置。
【請求項２】
前記の回転カッター台の各カッター面は一周または複数周する原料出口孔の幅を覆い、且つ該カッター面と原料出口盤は傾斜配置することを特徴とする請求項１記載の棒状プラスチックの粒カット装置。
【請求項３】
前記の回転カッター台は、その円軸台後方にベルト車を備え押出機脇に設けたモーターがベルトを使って動かすか、または該円軸台後方に直結したモーターが動かし、また原料出口盤の下方に材料収集漏斗及び送り出し機器を直接設けることを特徴とする請求項１記載の棒状プラスチックの粒カット装置。
【考案の詳細な説明】
【技術分野】
【０００１】
本考案は新規の棒状プラスチックの粒カット装置であり、特に時間を短縮でき造粒速度を高め、カッター上に良好な冷却通路を配置して、プラスチック材を押出し棒状にする時に冷却通路の空気吹き出し孔から吹き付ける風を受けて冷却固形化し、しかも迅速粒カット作業を共に行う故、効果的に作業時間コストを削減し生産エネルギーを向上させる棒状プラスチックの粒カット装置である。
【背景技術】
【０００２】
プラスチックは、簡単に形を作り製造できる特性を持ち、作り上げた完成品は加工し易く、安価で、外観は曲線を帯び、重量は木材や金属より軽い故、該製品は広範に各種生活用品に応用されている。
【０００３】
プラスチックは、ＰＥＴ、ＰＶＣ、ＰＥ、ＰＰ、ＰＳ等の多種に分けられ、それは基本的に石化製品に属し自然界には元来存在せず、主として異なる化学反応により重合、精製、乾燥処理し、乾燥後の重合物を軟化するまで加熱した後、押し出して細長棒状にし、冷却を待って更に棒状の重合物を同じ大きさのプラスチック粒にカットし、後続の成形加工において使用製作する為の完成品とする。
【０００４】
現有する加工技術は造粒工程においては、プラスチックの粘性が大きい為に、ＰＶＣ以外のＰＥＴ、ＰＥ、ＰＳ等は棒状に押し出した後、先ず水浴を経て冷却し、その後、機械上に整列させて粒状にカットする作業を行う故、処理ステップが繁雑で作業時間コストが高く、現有の冷却処理技術に制限される故、生産エネルギーを効果的に向上させられない事が最大の欠点となっている。
【０００５】
前述の棒状プラスチックの粒カット加工に存在する欠点に鑑み、本考案者は多方面から深く研究、設計、改良後、ついに本考案の研究開発に成功した。
【０００６】
本考案の目的は、時間を短縮でき造粒速度を高め、カッター上に良好な冷却通路を配置して、プラスチック材を棒状に押し出す時に冷却通路の空気吹き出し孔からの風を受けて冷却固形化し、しかも迅速粒カット作業を共に行うことができ、効果的に作業時間コストを削減し生産エネルギーを向上させる、棒状プラスチックの粒カット装置を提供することにある。
【考案の開示】
【考案が解決しようとする課題】
【０００７】
前述の目的を達成する為、本考案の設計する一種の棒状プラスチックの粒カット装置は、押出機の末端に原料出口盤を設け、該原料出口盤に複数の原料出口孔を設け、回転カッター台を原料出口盤の中央に設置し、該回転カッター台の後端の原料出口孔に向き合う箇所にカッターを設け、また該回転カッター台に冷却通路を内設し、各カッター上に空気吹き出し孔を組み合わせて設ける。これにより、プラスチック材が押し出されると、空気吹き出し孔から吹き付ける風により冷却され、並びに回転するカッターでカットされる故、作業を便利にし、別に冷却する必要なく粒カットを行うことができ、作業時間コストを節約し生産エネルギーを高める実用目的を達成する。
【課題を解決するための手段】
【０００８】
請求項１の考案は、一種の棒状プラスチックの粒カット装置において、それは、押出機、原料出口盤、回転カッター台により構成され、
該押出機は、その末端に原料出口盤を設け、該原料出口盤上には一周または複数周する原料出口孔を設け、
該回転カッター台は、原料出口盤の中央に設置し、単一または二組以上を円周に等間隔を空けて分布配置し、その中間には円軸台を備え、該回転カッター台の前端には円軸台端を連結し後端の原料出口孔と向き合う箇所にはカッターを設け、また該回転カッター台には冷却する空気吹き出し通路を内設し、各カッター上には空気吹き出し孔を配置し、
これによりプラスチックは、押し出される時、空気吹き出し孔の吹き付ける風によって冷却固形し、並びに回転するカッターの切断により、便利に作業することができ、別に冷却を行わずに粒カットを行える故、作業時間コストを節約し、且つ生産エネルギーを高めることを特徴とする棒状プラスチックの粒カット装置としている。
請求項２の考案は、前記の回転カッター台の各カッター面は一周または複数周する原料出口孔の幅を覆い、且つ該カッター面と原料出口盤は傾斜配置することを特徴とする請求項１記載の棒状プラスチックの粒カット装置としている。
請求項３の考案は、前記の回転カッター台は、その円軸台後方にベルト車を備え押出機脇に設けたモーターがベルトを使って動かすか、または該円軸台後方に直結したモーターが動かし、また原料出口盤の下方に材料収集漏斗及び送り出し機器を直接設けることを特徴とする請求項１記載の棒状プラスチックの粒カット装置としている。
【考案の効果】
【０００９】
本考案の棒状プラスチックの粒カット装置は、効果的に作業時間コストを削減し生産エネルギーを向上させることを特徴とする。
【考案を実施するための最良の形態】
【００１０】
図１〜図５に示す通り、本考案の設計する一種の棒状プラスチックの粒カット装置において、押出機１は、その末端に原料出口盤１１を設け、該原料出口盤１１上には一周または複数周の原料出口孔１２を設け、また、回転カッター台２は原料出口盤１１中央に設置し、該回転カッター台２後端の原料出口孔１２に向き合う箇所にカッター２１を設け、またその回転カッター台２には冷却する空気吹き出し通路３を内設し、各カッター２１上には空気吹き出し孔３１を組み合わせ配置する。
【００１１】
実施する場合、図１〜図３に示す通り、該回転カッター台２は単一または二組以上を円周に等間隔空けて分布配置され、その中間には円軸台２０を備え、その各カッター面２５は一周または複数周する原料出口孔１２の幅を覆っており、且つそのカッター面２５と原料出口盤１１は傾斜配置を呈している。
【００１２】
また、該回転カッター台２は、円軸台２０後方にベルト車２９を備え押出機１脇に設けたモーター２８がベルト２７を使ってこれを動かすか、または円軸台２０後ろにモーターを直結しこれを動かす。また原料出口盤１１の下方に材料収集漏斗４１及び送り出し機器４を直接設け、粒カット後の材料収集、搬送、袋詰め、ストックに便宜を図る。
【００１３】
よって図１、図４、図５に示す通り、それが作動する場合、カッター面２５と原料出口盤１１が傾斜配置を呈している故、空気吹き出し孔３１から出る風は斜めに配置されたカッター面２５に沿って、前方の押し出されている棒状プラスチック５方向に吹き付け、空気吹き出し孔３１から吹き付ける充分な風を受けて固形し、その後、回転するカッター２１によってカットされ、棒状プラスチック５は一旦カッター２１による切断を受けて顆粒５１となった後、カッター面２５が傾斜配置している故に完全に分離し下位の材料収集漏斗４１に落ち、下端の送り出し機器４によって袋詰め作業に送られ、簡単に全造粒作業を完了する。
【００１４】
全造流過程において、プラスチックは、押し出し時に空気吹き出し孔３１の吹き付ける風によって冷却固形し、回転するカッター２１の切断により簡単に粒カット作業を完成でき、公知の加工作業ステップより簡単で操作がより便利であり、公知技術が冷却を経て再び材料を積み重ねカットする面倒を回避し、作業時間コストを節約、並びに生産エネルギーを効果的に高める実用目的を達成することができる。
【００１５】
上述をまとめると、本考案が設計した棒状プラスチックの粒カット装置の構造は簡単で実用的、機能は公知技術よりはるかに優れ、進歩性及び産業利用価値を備える。
【図面の簡単な説明】
【００１６】
【図１】本考案の外観図である。
【図２】本考案の回転カッター台と原料出口盤の立体配置図である。
【図３】本考案の回転カッター台の動作図である。
【図４】本考案において風を吹き付けて棒状プラスチックを冷却固形させる動作図である。
【図５】本考案のカッターが粒カットしている動作図である。
【符号の説明】
【００１７】
１  押出機
１１  原料出口盤
１２  原料出口孔
２  回転カッター台
２０  円軸台
２１  カッター
２５  カッター面
２７  ベルト
２８  モーター
２９  ベルト車
３  空気吹き出し通路
３１  空気吹き出し孔
４  送り出し機器
４１  材料収集漏斗
５  棒状プラスチック
５１  顆粒
【図１】
0003142638.tif 000003
【図２】
0003142638.tif 000004
【図３】
0003142638.tif 000005
【図４】
0003142638.tif 000006
【図５】
0003142638.tif 000007